(57)【特許請求の範囲】
【請求項１】
少なくとも、人が着座する座部及び前記座部と接続されて傾動自在な背凭れ部とを有する座椅子において、
前記背凭れ部の最上部側にラチェット金具を設け、頭部の凭れ掛けを自在とした傾動自在な頭部受け部と、
前記背凭れ部の下部の前記座部側に形成した開口部と、
前記背凭れ部の前記座部側の面に人体の尾骨及び胸椎の上部を凭れ掛けた状態下で、前記背凭れ部の面と腰椎との間の間隙を、前記背凭れ部の前記開口部の上側を軸として当該軸に取付けられたラチェット金具によって回動自在に取付けられた補助クッションフレーム及び前記補助クッションフレームに設けられた緩衝材及び被覆材からなる補助クッション部を具備し、
頚椎の位置に応じて前記頭部の凭れ掛けの設定を行うように前記頭部受け部を傾動させると共に、前記補助クッション部を回動させることにより、前記背凭れ部の面と前記腰椎との間の隙間をなくすように、人体の背骨全体の曲線形状に従った支えを行うことを特徴とする座椅子。
【発明の詳細な説明】
【技術分野】
【０００１】
本発明は、座椅子の使用時における腰部への負担を軽減すると共に、着座時における快適性及び利便性を向上させた座椅子に関するものである。
【背景技術】
【０００２】
従来から和室等で使用される座椅子においては、一般に座部と背凭れとで構成されており、通常、背凭れが角度調節金具により座部と起伏自在に連結されている。かかる座椅子を使用する場合、使用目的に応じて背凭れは最も身体に快適な状態に角度調節される。例えば、読書やテレビ鑑賞等においては背凭れを起立状態とし、また仮眠や休息をとる場合には、背凭れを倒して腰部に負担をかけない状態に角度調節される。
【０００３】
特許文献１では、背凭れが座部に対し起伏自在に連結された座椅子において、着座時の人体の臀部及び腰部の当接面に移動自在に配設される補助具を設け、しかも、前記補助具が座部と背凭れの曲折部に一端が係止された連結材と、該連結材の他端部に設置された緩衝材とからなるものである。
【０００４】
即ち、特許文献１の座椅子は、背凭れが座部に対し起伏自在に連結された座椅子において、着座時の人体の臀部及び腰部の当接面に移動自在に配設される補助具を設けたものである。座部に補助具を配設可能とすることにより、座椅子に着座していても臀部が安定するため、長時間快適かつ楽に着座することができる。また、背凭れの任意の箇所に補助具を移動することにより、着座しながら背筋を伸ばすことができ、心地よい刺激を得ることが可能となる。更に、背凭れを水平状態に倒伏させ、腰部の下に補助具を配設して仰向けに横臥した場合には、腰部及び背中の関節、筋肉を伸張させるストレッチ運動を行うことができる。
【０００５】
また、本発明の座椅子の前記補助具が、座部と背凭れの曲折部に一端が係止された連結材と、該連結材の他端部に設置された緩衝材とからなることが好ましい。連結材を介して座椅子の曲折部と緩衝材とを連結可能にすることにより、座椅子と一体化し、使用の容易性を図ることが可能となる。更に、本発明の座椅子は、前記連結材が、略座椅子幅にわたり延在する平布状を呈していることが好ましい。連結材を略座椅子幅にわたり延在する平布状とすることにより、座部や背凭れへの移行を簡易に行うことができ、そして、緩衝材を任意の箇所に移動しても座椅子使用時において緩衝材がずれることがなく、安定性に優れるという効果を奏する。更にまた、本発明の座椅子は、前記緩衝材が肉厚の矩形状を呈していることが好ましい。緩衝材を肉厚の矩形状とすることにより、着座時の臀部または腰部の安定性がよくなり、使用感も良好となる。
【先行技術文献】
【特許文献】
【０００６】
【特許文献１】特開２００２−２９１５６６
【発明の概要】
【発明が解決しようとする課題】
【０００７】
このように、特許文献１は、背凭れが座部に対し起伏自在に連結された座椅子において、着座時の人体の臀部及び腰部の当接面に移動自在に配設される補助具を設け、しかも、前記補助具が座部と背凭れの曲折部に一端が係止された連結材と、該連結材の他端部に設置された緩衝材とからなるものである。
しかし、特許文献１においては、人が座椅子に着座したとき、背凭れに臀部が当たり、着座位置が決まる。そして、状態を後ろに傾けて背中、即ち、胸椎の位置を定める。このとき、補助具は単なるクッション材として機能しているにすぎない。
特許文献1では、例えば、着座の際には、補助具の上に着座し、また、凭れる場合には、臀部と背凭れとの間に補助具が介在する。したがって、着座の際、臀部の下に補助具を敷いた場合、凭れかせの際の臀部の後ろに補助具を挟んだ場合には、何れも人体の基準となる安定位置を不安定にするものであるから、見掛け上は安定したクッション性のよい座椅子のイメージを持つものの、当該座椅子を使用してみるとクッション性による不安定さにより落ち着きが悪いことが分かる。
【０００８】
そこで、本発明は、継続的に違和感のない安定した座り心地が得られると共に、着座を継続しても腰椎の負担を軽減した座り心地が得られる座椅子の提供を課題とするものである。
【課題を解決するための手段】
【０００９】
請求項１の発明にかかる座椅子は、人が着座する座部及び前記座部と接続されて傾動自在な背凭れ部とを有する座椅子において、前記背凭れ部の下部の座部側に形成した開口部と、前記背凭れ部の面に人体の尾骨及び胸椎の上部を凭れ掛けた状態下で、前記背凭れ部の面と腰椎との間の間隙を、前記背凭れ部の前記開口部の上側を軸として回動自在として、当該間隔をなくすように回動自在な前記開口部に取付けられた補助クッション部とを具備するものである。
ここで、人が着座する座部とは、座椅子の座面となり、その背凭れ部が垂直の時、全体で体重を支える部分を構成するものである。
また、前記座部と接続されて傾動自在な背凭れ部とは、人体の上半身を凭れ掛けさせる部分で、その受けた力は、前記背凭れ部から前記座部に伝えられる。
そして、上記背凭れの下部の座部側に形成した開口部とは、前記背凭れ部の前記座部側の一辺を開放したＵの字状としてもよいし、背凭れ部の４辺を残したまま、ロ字状に刳り貫き形成してもよい。
更に、上記背凭れ部の面に臀部の尾骨及び胸椎の上部を凭れ掛けた状態下とは、前記背凭れ部の面に尾骨及び胸椎を凭れ掛けたときであればよく、継続的に、その状態が維持されるか否かはここで問題とするものではない。前記背凭れ部の面と人体の臀部の尾骨及び上部の一部の胸椎との位置関係を特定するものである。
また、上記補助クッション部は、前記背凭れ部の面と腰椎との間の間隙を、前記背凭れ部の前記開口部の上側を軸として回動自在としたから、前記背凭れ部の面と前記腰椎との間の当該間隔をなくすように回動自在な前記補助クッション部が取付けられたものである。したがって、使用していないときには、前記補助クッション部の全体が前記開口部に収容されてもよいし、一部が前記背凭れ部から突出してもよいし、逆に、前記背凭れ部の背面側に突出していてもよい。
そして、前記補助クッション部は、空気の流れを良くする構造としたものである。ここで、空気の流れを良くするとは、開口部と補助クッション部の大きさが開口部が大きく（広く）、補助クッション部との間に間隙が形成されるものであるから、前記補助クッション部自体が湿気を閉じ込めない構造とするものであればよい。勿論、前記補助クッション部自体に通気性を持たせてもよい。
更に、前記背凭れ部の最上部側の頭部受け部は傾動自在としたものである。ここでは、前記背凭れ部の最上部側の頭部受け部は、傾動式の前記背凭れ部からの突出距離を変化させるものであるから、上半身の傾動状態によって頭部受け部の傾動角度を調節できる。このとき、前記頭部受け部の傾動角度と前記補助クッション部の傾動角度とをリンクさせてもよい。
【発明の効果】
【００１０】
請求項１の座椅子は、人が着座する座部と接続されて傾動自在な背凭れ部を有し、前記背凭れ部の下部に形成された開口部の上側を軸に回動自在とした補助クッション部によって、前記背凭れ部の面に臀部の尾骨及び胸椎を凭れ掛けた状態下で、前記背凭れ部の面と腰椎との間の間隙をなくすようにその間を前記補助クッション部で補完するものである。
したがって、着座者の腰椎の負担を前記補助クッション部で軽減し、前記背凭れ部の面の角度が変化しても、補助クッション部の回動によって常に腰椎の必要な支えになるから、腰椎の負担が少なくなり、長時間の着座であっても腰に対する負担が軽減される。特に、補助クッション部は上側を支点として回動するものであり、特に、背骨は腰椎から胸椎に至る曲線は、下部ほど背凭れ部との間隔が広くなるから、前記補助クッション部の回動によって、その背骨の曲線の面に沿って合致した支えとすることができる。
また、このとき、前記補助クッション部は、空気の流れを良くする構造としたものであるから、前記背凭れ部の開口部から腰椎側に補助クッション部が移動するから、人体の背中側、特に、腰椎側に空気の通路が形成され、前記背凭れ部と背中との接触面側が蒸れることがなくなる。
この座椅子の記背凭れ部の最上部側には、頭部を凭れ掛ける頭部受け部を設けたものであるから、上半身のいかなる体形においても腰椎及び頚椎の形状に従った、即ち、背骨の形状に従った支えができる。また、前記背凭れ部の最上部側の頭部受け部は、傾動自在としたものであるから、座椅子の使用者の好みにあった頭部位置とすることができる。
【図面の簡単な説明】
【００１１】
【図１】図１は本発明の実施の形態１の座椅子の内部全体のフレーム構造を示す斜視図である。
【図２】図２は本発明の実施の形態１の座椅子の全体の外観構造を示す斜視図である。
【図３】図３は本発明の実施の形態１の座椅子の背凭れ部の構造を示す正面図である。
【図４】図４は本発明の実施の形態１の座椅子の内部構造を示す図３の切断線Ｘ−Ｘによる断面図である。
【図５】図５は本発明の実施の形態１の座椅子の内部構造を示す図３の切断線Ｙ−Ｙによる断面図である。
【図６】図６は本発明の実施の形態１の座椅子の内部構造及び人体の背骨との関係を示す図３の切断線Ｘ−Ｘによる断面相当の断面図である。
【図７】図７は本発明の実施の形態１の座椅子の内部構造及び人体の背骨との関係を示す図３の切断線Ｙ−Ｙによる断面相当の断面図である。
【図８】図８は本発明の実施の形態１の座椅子を直線状態に延ばしたラチェット金具の状態を示す断面図である。
【図９】図９は本発明の実施の形態１の座椅子を約１５度程度折り曲げたラチェット金具の状態を示す断面図である。
【図１０】図１０は本発明の実施の形態１の座椅子を約９０度程度折り曲げたラチェット金具の状態を示す断面図である。
【図１１】図１１は本発明の実施の形態１の座椅子を約９０度を超えて折り曲げて回動自在としたラチェット金具の状態を示す断面図である。
【図１２】図１２は本発明の実施の形態１の座椅子の補助クッション部のラチェット金具の状態を示す断面図である。
【図１３】図１３は本発明の実施の形態１の座椅子の頭部受け部のラチェット金具の状態を示す断面図である。
【図１４】図１４は本発明の実施の形態１の変形例の座椅子の内部全体のフレーム構造を示す斜視図である。
【発明を実施するための形態】
【００１２】
以下、本発明の実施の形態について、図面に基づいて説明する。なお、実施の形態において、図示の同一記号及び同一符号は、同一または相当する機能部分であるから、ここではその重複する説明を省略する。
【００１３】
特に、図１において、金属パイプ製の座フレーム１０は、略Ｕの字状（略コの字状の角を丸く処理したもので、１本のフレームを曲げて処理したもの）の主座フレーム１１とその間を保護する補助座フレーム１２から構成されている。また、金属パイプ製の背フレーム３０も、２本の立上りフレーム３１と１本の水平フレーム３２から略コの字状（角を端部として使用できる形態）に形成された主背フレーム３３が構成されている。勿論、本発明を実施する場合には、補助座フレーム１２、水平フレーム３２は省略することも、位置を変えることもできるし、材料を変更することもできる。なお、本発明を実施する場合には、略Ｕの字状とは、略コの字状の角を丸く処理したもので、１本のフレームを曲げて処理したものであり、略コの字状の角を端部として使用できる形態とは相違するとの前提で説明する。
【００１４】
そして、座フレーム１０の略Ｕの字状の主座フレーム１１の開口端と背フレーム３０の略コの字状の主背フレーム３３の立上りフレーム３１の下端の開口端には、各開口端にラチェット金具２０が配設されている。ラチェット金具２０の構造は基本的には、後述するラチェット金具４０、ラチェット金具５０と同一であるが、念のため、後にそれらの相違点のみ説明する。なお、本発明を実施する場合には、ラチェット金具４０、ラチェット金具５０がラチェット金具２０と同一構造とする必要性はない。２個のラチェット金具２０は、主座フレーム１１の開口端と主背フレーム３３の立上りフレーム３１の開口端に挿入し、そこにスポット溶接、圧着でラチェット金具２０と主座フレーム１１の開口端または主背フレーム３３の下端の開口端とが固着されている。
【００１５】
背フレーム３０の水平フレーム３２には、その中央に２個のラチェット金具４０が配設されている。その２個のラチェット金具４０には、金属パイプ製の略Ｕの字状の補助クッションフレーム４１の開口端部が接続されている。また、背フレーム３０の主背フレーム３３の立上りフレーム３１の端部には、２個のラチェット金具５０が配設されている。その２個のラチェット金具５０には、金属パイプ製の略Ｕの字状の頭部受けフレーム５１の開口端部が接続されている。
【００１６】
座フレーム１０は、図４乃至図７に示すように、公知のウレタンフォームによる充填成型、ウレタンフォームシート、ウレタンフォームチップシート等の緩衝用として成型等のウレタンフォーム、他の発泡性樹脂、または、発泡性樹脂等の代わりに、ゴム製容器に空気を注入したエアクッションタイプの緩衝材１８としてもよい。何れにせよ、緩衝材１８としては、所定の肉厚の略矩形状を呈しており、人の着座時の安定性等の面から人体に近い位置を軟質発泡樹脂で、人体に遠い位置を硬質発泡樹脂で形成するのが好ましい。しかし、これは本発明を実施する場合に特に限定されるものではない。また、軟質の緩衝材１８内部には、ウレタンフォームチップ等からなる緩衝性を有する芯材が収容されていてもよい。この場合には、緩衝材１８の外面素材は、緩衝性を有する素材として、例えば、ナイロン等の合成樹脂やゴム材料等が好ましい。また、緩衝材１８として低反発材料、高反発材料を使用してもよい。
なお、座フレーム１０は、必要な緩衝材１８及び強靭な布地等の被覆材１５と共に座部Ａを形成している。
【００１７】
また、背フレーム３０は座部Ａと同様に、公知のウレタンフォームによる充填成型、ウレタンフォームシート、ウレタンフォームチップシート等の緩衝用として成型等のウレタンフォーム、発泡性樹脂、または、発泡性樹脂等の代わりに、ゴム製容器に空気を注入したエアクッションタイプの緩衝材３８としてもよい。何れにせよ、緩衝材３８としては、所定の肉厚の略矩形状を呈しており、背凭れ時の安定性等の面から人体に近い位置を軟質発泡樹脂で、人体に遠い位置を硬質発泡樹脂で形成するのが好ましい。軟質の緩衝材３８内部には、ウレタンフォーム等からなる緩衝性を有する芯材が収容されていてもよい。この場合には、緩衝材３８の外面素材は、緩衝性を有する素材として、例えば、ナイロン等の合成樹脂やゴム材料が好ましい。また、緩衝材３８として低反発材料、高反発材料を使用する場合もある。
なお、背フレーム３０は、必要な緩衝材３８及び強靭な布地等の被覆材３５と共に背凭れ部Ｂを形成している。
【００１８】
そして、補助クッションフレーム４１も同様に、公知のウレタンフォームによる充填成型、ウレタンフォームシート、ウレタンフォームチップ等の緩衝材として成型等の発泡ウレタン、発泡性樹脂、または、発泡性樹脂等の代わりに、空気を注入したエアクッションタイプとしてもよい。何れにせよ、緩衝材４８としては、所定の肉厚の略矩形状を呈しており、背凭れ時の安定性等の面から人体に近い位置を軟質発泡樹脂で、人体に遠い位置を硬質発泡樹脂で形成するのが好ましい。軟質の緩衝材４８内部には、ウレタンフォーム等からなる緩衝性を有する芯材が収容されていてもよい。この場合には、緩衝材４８の外面素材は、緩衝性を有する素材として、例えば、ナイロン等の合成樹脂やゴム材料が好ましい。また、緩衝材４８として低反発材料、高反発材料を使用する場合もある。しかし、人体の背側の通気性を良くするためには、発泡樹脂の発泡率が高いものか、立体網した網状のものの使用が好ましい。勿論、発泡樹脂に貫通孔を形成したものでもよい。
なお、補助クッションフレーム４１は必要な緩衝材４８及び強靭な布地等の被覆材４５と共に補助クッション部Ｃを形成している。前記補助クッション部Ｃと開口部Ｅとの関係は、背凭れ部Ｂを正面に見るとき、前記補助クッション部Ｃが開口部Ｅの中に収容され、前記補助クッション部Ｃが開口部Ｅよりも小さく形成されている。
【００１９】
この開口部Ｅは、背凭れ部Ｂの下部の座部Ａ側に形成した開口で、背凭れ部Ｂの面に臀部の尾骨Ｍ１及び胸椎Ｍ４の上部（第２胸椎から第７胸椎）を凭れ掛けた状態下で、背凭れ部Ｂの面と腰椎Ｍ３との間の間隙を、背凭れ部Ｂの開口部Ｅの上側を軸として回動自在とする所定のクッション材の飛び出しによって、当該間隙をなくすように回動自在に開口部Ｅに取付けられた補助クッション部Ｃの収容部として機能するものである。背凭れ部Ｂの面と腰椎Ｍ３との間の間隙を無くす機能から、補助クッション部Ｃの下端が仙骨Ｍ２の上、好ましくは第２腰椎から第４腰椎に位置するように設定される。したがって、補助クッション部Ｃは、腰椎Ｍ３を中心に胸椎Ｍ４を持ち上げ、かつ、仙骨Ｍ２等との骨の間隔を保持することができる。
【００２０】
更に、頭部受けフレーム５１も同様に、公知のウレタンフォームによる充填成型、ウレタンフォームシート、ウレタンフォームチップ等の緩衝用として成型等のウレタンフォーム、発泡性樹脂、または、発泡性樹脂等の代わりに、ゴム製容器に空気を注入したエアクッションタイプの緩衝材５８でもよい。何れにせよ、緩衝材５８としては、所定の肉厚の略矩形状を呈しており、背凭れ時の安定性等の面から人体に近い位置を軟質発泡樹脂で、人体に遠い位置を硬質発泡樹脂で形成するのが好ましい。軟質の緩衝材５８内部には、ウレタンフォーム等からなる緩衝性を有する芯材が収容されていてもよい。この場合には、緩衝材５８の外面素材は、緩衝性を有する素材として、例えば、ナイロン等の合成樹脂やゴム材料が好ましい。また、緩衝材５８として低反発材料、高反発材料を使用する場合もある。
なお、頭部受けフレーム５１は、必要な緩衝材５８及び強靭な布地等の被覆材５５と共に頭部受け部Ｄを形成している。
【００２１】
頭部受け部Ｄの横幅は、背凭れ部Ｂの横幅と同一でもよいし、図１４に示すように、１／４〜２／３の幅とすることもできる。また、直接、背凭れ部Ｂにクッション材を接合したものであってもよい。因みに、背凭れ部Ｂの横幅の１／４〜２／３の幅としたものでは、頭部受け部Ｄの部分の被覆材５５を背凭れ部Ｂの色彩よりも濃い色彩または逆に薄い色彩のものとすると、頭部受け部Ｄが強調され、購買者に頭部受け部Ｄの機能を訴えることができる。勿論、頭部受け部Ｄの横幅が背凭れ部Ｂの横幅と同一のものでも同様の効果がある。しかし、頭部受け部Ｄの横幅が背凭れ部Ｂの横幅と同一のものでは、強調しないで使用によって細かな配慮を気付かせる効果もでる。
【００２２】
ラチェット金具２０及びラチェット金具４０、ラチェット金具５０は、次のような構造になっている。まず、図８乃至図１１を用いて、本実施の形態のラチェット金具２０について、具体的構成を説明する。なお、ラチェット機構については、特開平８−８４６２９、特開平１０−２８６２４、特開２００２−２６２９５５、特開２００４−９２８７６等で周知である。また、シリンダを使用するものも、特開２００１−１２８７７７、特開２００１−１２８７７８、特開２００１−１４５５３３、特開２００１−１６１４８０等で周知であるので、その１例のみを実施例として説明する。
図において、ラチェット金具２０は、座椅子の座フレーム１０と背フレーム３０との間の連結部に使用されるもので、座部Ａ側に位置する固定部材２１０と背凭れ部Ｂ側に位置する回動部材２２０と、逆方向の回転を防止する逆転防止爪２３０と、ラチェット機能を禁止または解禁するカム板２４０とを基本的構造としている。ラチェット金具４０及びラチェット金具５０も同様である。
【００２３】
固定部材２１０は、座椅子における座部Ａの座フレーム１０の両端部に挿着、カシメまたはスポット溶接によって取付けられる取付片２１１と、その端部の両側に形成されたラチェット金具２０の機構部分の略全体を収容する略Ｕの字状に折り曲げたハウジング部２１２を有している。ハウジング部２１２は、取付片２１１の端部に形成された相対向する一対の略卵形の側壁と、その側壁相互を接続する底面により構成されている。
背凭れ部Ｂ側の回動部材２２０は、背フレーム３０の各端部に取付けられる取付片２２１と、その端部に形成された相対向する一対のラチェット２２２を有している。この一対のラチェット２２２は、本発明を実施する場合には、片側のみとすることもできる。
【００２４】
回動部材２２０の取付片２２１の端部に複数のラチェット歯が所定のピッチで形成されてなるラチェット２２２には、カム板２４０の第１当接部２４５または第２当接部２４６が衝突する第１受部２２５または第２受部２２６が設けられている。ラチェット２２２のラチェット歯は、背凭れ部Ｂを何段階の変化で傾動停止させるかを決定するもので、通常、５段から１０段の位置で停止できるように形成されている。
この回動部材２２０に形成した一対のラチェット２２２間にカム板２４０を介在させた状態で、ラチェット２２２及びカム板２４０が、固定部材２１０のハウジング部２１２内に収容され、ハウジング部２１２の両側壁に設けられた回動軸２５１に回動自在に軸支されている。
【００２５】
また、ハウジング部２１２内に配置される逆転防止爪２３０は、その先端側にラチェット歯に係合する係合爪２３１が形成されている。係合爪２３１をラチェット歯に対応させた状態で、逆転防止爪２３０の基端側がハウジング部２１２に爪軸２５２を介し回転自在に軸支されている。そして、この逆転防止爪２３０が、爪軸２５２を支点として、図８乃至図１１の反時計方向に弾性力が付与されており、係合爪２３１がラチェット歯に係合すると共に、また、ラチェット２２２のラチェット歯によって図８乃至図１１時計方向に回動させられた場合には、係合爪２３１がラチェット歯から離脱した状態となる。
【００２６】
即ち、逆転防止爪２３０は、爪軸２５２に設けられたコイルばね２５３の弾性力により、図８乃至図１１の反時計方向であるラチェット歯に噛み合う方向に弾性力が付与されている。そして、係合爪２３１がラチェット歯に係合した状態においては、ラチェット２２２の時計方向の回転が規制され、ラチェット２２２が反時計方向に回転しようとした際には、ラチェット歯と係合爪２３１とが係合しないように離脱方向に押されて係合が解除される。なお、係合爪２３１の歯数は１個でも２個でもよい。
【００２７】
この回動軸２５１を中心に回動自在のカム板２４０は、逆転防止爪２３０に対向する側の約９０〜１２０度の外周には、回動部材２２０の第１受部２２５または第２受部２２６に衝突する第１当接部２４５と第２当接部２４６とを有し、係合爪２３１のラチェット歯への係合を許容する周縁凹部２４１と、係合爪２３１のラチェット歯への係合を規制するようにラチェット２２２より僅かに大きく円弧状に形成された周縁突部２４２が設けられている。
【００２８】
この構成のラチェット金具２０において、図８乃至図１１に示すように、回動部材２２０が固定部材２１０に対し開いた背凭れを後方に倒した状態においては、逆転防止爪２３０の係合爪２３１が、カム板２４０の周縁凹部２４１内に配置されることにより、逆転防止爪２３０が係合方向に付勢され、係合爪２３１がラチェット歯にそれぞれ係合する。
図９の状態においては、図８の回動部材２２０（背凭れ部Ｂ）と固定部材２１０（座部Ａ）との角度を狭めたものであり、背凭れ部Ｂを約１５度程度起こした状態に相当する。このとき、時計方向に荷重が加わったとしても、係合爪２３１がラチェット歯に係合し、角度を開く方向への回転は係合爪２３１がラチェット歯に係合した状態に規制される。
【００２９】
また、図１０に示すように、回動部材２２０（背凭れ部Ｂ）を固定部材２１０（座部Ａ）に対し反時計方向に回転させた場合は、ラチェット歯により係合爪２３１が離脱方向に移動し、係合爪２３１が次段のラチェット歯を乗り越えた後、係合爪２３１がコイルばね２５３の弾性力によって、次段のラチェット歯に係合する。この係合状態においても、回動部材２２０を開く方向に荷重が加わったとしても、係合爪２３１がラチェット歯に係合し、反対方向の回転は規制される。
【００３０】
回動部材２２０（背凭れ部Ｂ）を固定部材２１０（座部Ａ）に対し約９０度回転させた図１０に示す状態から、回動部材２２０を閉じる方向に最終係合位置まで傾動させると、係合爪２３１が最終係合位置のラチェット２２２に係合した際、回動部材２２０が固定部材２１０に対し略９０度の位置に固定される。
【００３１】
更に、この最終係合位置から、図１１に示すように、一旦、回動部材２２０を固定部材２１０に対し閉じる方向に傾動させると、回動部材２２０の第２受部２２６がカム板２４０の第２当接部２４６に当接して、カム板２４０が反時計方向に僅か回動する。これにより、係合爪２３１の先端が、コイルばね２５３の付勢力に抗してカム板２４０の案内部２４３に沿って離脱方向に移動して周縁突部２４２に乗り上げた状態となる。こうして係合爪２３１のラチェット歯に対する係合が解除された状態に保持される。
【００３２】
したがって、この状態では、背凭れ部Ｂの回動部材２２０を開く方向に回転することが可能となる。また、図１１に示すように、背凭れ部Ｂの回動部材２２０を開く方向、即ち、背凭れ部Ｂを寝させる方向に回転させていくと、図８に示すように回動部材２２０の第１受部２２５がカム板２４０の第１当接部２４５に衝合して、カム板２４０が時計方向に僅かに回動して、第２爪片２３２の先端がカム板２４０の周縁突部２４２から案内部２４３を通って周縁凹部２４１の位置に配置される。これにより、係合爪２３１がコイルばね２５３の弾性力により周縁凹部２４１内に挿入されると同時に、対応するラチェット歯にそれぞれ係合可能となる。
【００３３】
このように、ラチェット金具２０は、背凭れ部Ｂを座部Ａ側に傾動させると、図１１の位置まで回動し、背凭れ部Ｂを座部Ａ側に接触させることができる。この状態下では、カム板２４０が逆転防止爪２３０の係合爪２３１がラチェット２２２のラチェット歯と噛み合わないので、背凭れ部Ｂを座部Ａ側から離反する方向に回動させることができる。
背凭れ部Ｂを座部Ａ側に傾動させるとき、図８乃至図１０の位置まで回動させる間では、当該背凭れ部Ｂの特定の傾動角度で回動を止め、背凭れ部Ｂの回動方向とは異なる方向に若干戻すと、係合爪２３１がラチェット２２２の最寄りのラチェット歯に係合し、回動部材２２０が固定部材２１０に対し特定の角度の停止位置となり固定される。
【００３４】
したがって、図８乃至図１１に示す回動部材２２０（背凭れ部Ｂ）を固定部材２１０（座部Ａ）に対し約９０度回動させるまでの間では、回動部材２２０（背凭れ部Ｂ）を固定部材２１０（座部Ａ）に対し特定の角度で停止させることができる。しかし、回動部材２２０（背凭れ部Ｂ）を固定部材２１０（座部Ａ）に対し約９０度を超えて回動させると、係合爪２３１がラチェット２２２の最寄りのラチェット歯に係合できなくなるから、回動部材２２０（背凭れ部Ｂ）と固定部材２１０（座部Ａ）は、１１に示す回動部材２２０（背凭れ部Ｂ）と固定部材２１０（座部Ａ）との重なり状態または図８に示す一直線状態となる。図８に示す回動部材２２０（背凭れ部Ｂ）と固定部材２１０（座部Ａ）の最大傾度から徐々に回動角度を狭くすることにより、その傾動角度で停止させることができる。このときの係合爪２３１がラチェット２２２の最寄りのラチェット歯に係合する点が回動部材２２０（背凭れ部Ｂ）の停止点となり、その数が背凭れを何段階の変化で停止させるかを決定するもので、通常、５段から１０段の位置で停止できるように形成されている。
【００３５】
図１２は補助クッション部Ｃのラチェット金具４０を示すものである。ラチェット金具２０との相違点のみを説明すると、固定部材２１０側が何れも背フレーム３０の水平フレーム３２に溶接で接合されている。ラチェット機能については基本的にはラチェット金具２０と相違しない。本実施の形態の補助クッション部Ｃのラチェット金具４０は３乃至５段階に傾動可能としている。
なお、背フレーム３０を構成する水平フレーム３２をＬ字状に２分割し、その間を補強材（棒鋼、板材）で繋ぎ、Ｌ字状に２分割した水平フレーム３２に固定部材２１０を接続してもよい。
【００３６】
図１３は頭部受け部Ｄのラチェット金具５０を示すものである。ラチェット金具２０との相違点のみを説明すると、固定部材２１０側が何れも背フレーム３０を構成する略Ｕの字状の２本の立上りフレーム３１の端部に挿着し、溶接で接合されている。ラチェット機能等については基本的には相違しない。本実施の形態の頭部受け部Ｄのラチェット金具５０は、補助クッション部Ｃのラチェット金具４０と同様、３乃至５段階に傾動可能としている。
なお、２本の立上りフレーム３１とその上部の水平フレーム３２は１本の直線フレームで背フレーム３０を構成でき、その端部に頭部受け部Ｄのラチェット金具５０を配設しているが、本発明を実施する場合には、２本の立上りフレーム３１と水平フレーム３２を金属製の管材とし、略Ｕの字状に形成することもできる。
【００３７】
また、図１４は本実施の形態の座椅子の変形例で、内部全体のフレーム構造を示す斜視図である。
図１４の座フレーム１０においては、略Ｕの字状の主座フレーム１１の開口端間を補助座フレーム１２によって座フレーム１０の機械的構造を安定化させている。また、補助座フレーム１２に代えて、合成樹脂テープで略Ｕの字状の主座フレーム１１の開口端間を接続してもよい。何れにせよ、機械的強度を出すための対応である。
図１の本実施の形態の座椅子においては、金属パイプ製の２本の立上りフレーム３１と１本の水平フレーム３２から略Ｕの字状に形成された主背フレーム３３で背フレーム３０を構成しているが、本実施の形態では、水平フレーム３２に直接ラチェット金具２０の固定部材２１０側を直接水平フレーム３２の中央部分に溶接している。
【００３８】
そして、頭部受け部Ｄのラチェット金具５０は、背フレーム３０を構成している主背フレーム３３は金属パイプ製の２本の立上りフレーム３１と１本の水平フレーム３２から略コ字状に形成しているが、本変形例では、主背フレーム３３は１本の金属パイプで立上りフレーム部３１ａと水平フレーム部３２ａを曲げて略Ｕの字状に形成したものである。この主背フレーム３３の水平フレーム部３２ａ側に所定の間隔で一対のラチェット金具５０の固定部材２１０側が溶接され、ラチェット金具５０の回動部材２２０に金属パイプ製の略コ字状の頭部受けフレーム５１が挿着され、溶接されている。
このように、本実施の形態の座椅子は、座部Ａ、背凭れ部Ｂ、補助クッション部Ｃ、頭部受け部Ｄ、開口部Ｅの構造は、格別限定されることはない。
【００３９】
このように構成された本実施の形態の座椅子は、特に、背凭れ部Ｂの面に臀部の尾骨Ｍ１等の臀部が当たったとき、背凭れ部Ｂに胸椎Ｍ４の上部、即ち、例えば、第２胸椎から第７胸椎等を凭れ掛けた状態下で、背凭れ部Ｂの面と腰椎Ｍ３との間の間隙が生じる。この間隙に背凭れ部Ｂの開口部Ｅの上側を軸に取付けられた補助クッション部Ｃによって、当該間隙をなくすようにクッション材をそこに供給するものである。背凭れ部Ｂの面と腰椎Ｍ３との間の間隙を補助クッション部Ｃでなくすことにより、背凭れ部Ｂを傾動して着座している人体の腰に対して、腰椎Ｍ３の位置が自然の状態に保持したまま、使用することができる。したがって、継続的に違和感のない安定した座り心地が得られると共に、着座を継続しても腰椎Ｍ３の負担を軽減した座り心地が得られる。
【００４０】
また、少なくとも、人が着座する座部Ａ及び座部Ａと接続されて傾動自在な背凭れ部Ｂとを有する座椅子において、背凭れ部Ｂの下部の座部Ａ側に形成した開口部Ｅは、その背凭れ部Ｂの開口部Ｅの上側を軸に取付けられた補助クッション部Ｃの飛び出しが行われるものであるから、必然的に、開口部Ｅが補助クッション部Ｃよりも広い面積となり、人が座部Ａに着座し、背凭れ部Ｂに上半身を凭れ掛けていても、開口部Ｅと補助クッション部Ｃとの間の間隙に空気の流れが生じ、人の腰椎Ｍ３側、即ち、背中側に湿度がこもるのが防止でき、清涼感が確保でき、座椅子をオールシーズンの使用とすることができる。
特に、補助クッション部Ｃを通気性を良くする構造としたものでは、顕著な効果が得られる。
【００４１】
特に、背凭れ部Ｂの面に臀部の尾骨Ｍ１が当たったとき、背凭れ部Ｂに胸椎Ｍ４の上部、即ち、第２胸椎から第７胸椎を凭れ掛けた状態下で、背凭れ部Ｂの面と腰椎Ｍ３との間の間隙が生じる。この間隙は、骨盤側の尾骨Ｍ１及び仙骨Ｍ２側が広く身体上部に行くほどその間隔が狭くなるように変化している。したがって、本実施の形態では、背凭れ部Ｂの開口部Ｅの上側を回動軸として取付けられた補助クッション部Ｃは、回動軸を基準として、下部の自由端に行くほど間隔を広くすることができるものであるから、背凭れ部Ｂの面と腰椎Ｍ３との間の間隙を補助クッション部Ｃで補完することにより、補助クッション部Ｃの面によって背凭れ部Ｂに従って傾動して着座している人体の腰椎Ｍ３の位置を自然の状態に保持したまま、使用することができ、着座を継続しても腰椎Ｍ３の負担を非常に軽減した座り心地が得られる。よって、直線で形成されているかに見える座椅子においても人体の背骨の曲線に従った対応ができ、椎間板ヘルニヤ等の椎間板に損傷がある人であっても、楽に着座することができ、かつ、その状態を継続できる。
【００４２】
そして、本実施の形態では、頭部受け部Ｄがラチェット金具５０で傾動自在になっているから、頚椎Ｍ５の位置に応じた頭部の設定が可能となる。特に、補助クッション部Ｃと頭部受け部Ｄとの機能を併せ持つものでは、身体がリラックスした状態で着座できることから、着座時間が長くなる傾向にある。しかし、このとき、開口部Ｅと補助クッション部Ｃとの間の間隙に空気の流れが生じ、人の腰椎Ｍ３側、即ち、背中側に湿度がこもるのが防止でき、清涼感が確保できるから、その相乗効果によって、本発明の座椅子のリラックスゼーションは従来の座椅子に比較できない程度に顕著の効果がある。
【００４３】
上記実施の形態においては、略Ｕの字状の主座フレーム１１とその間を保護する補助座フレーム１２から構成され座フレーム１０、主背フレーム３１とその間を保護する補助背フレーム３２から構成されている背フレーム３０は、図１の実施の形態の構造に限定されるものではなく、本発明を実施する場合には、他の公知の構成を採用することができる。
また、ラチェット金具２０、ラチェット金具４０、ラチェット金具５０の構造は、本発明を実施する場合には、上記実施の形態のラチェット金具２０に限定されるものではなく公知のラチェット機能のものの使用が可能であり、また、油圧シリンダ、エアシリンダ等の機構を使用してもよい。
【００４４】
上記実施の形態における背凭れ部Ｂの下部の座部Ａ側に形成した開口部Ｅは、本発明を実施する場合には、背凭れ部Ｂの下端が解放されていてもよいし、閉じた上、即ち、座部Ａの上面から５乃至１０ｃｍ上に四角の開口の最下部を形成してもよい。また、その幅を背フレーム３０の幅まで広げることもできる。何れにせよ、開口部Ｅが補助クッション部Ｃよりも背凭れ部Ｂの面からみて、面積が広いものであればよい。少なくとも、座椅子の使用状態で、開口部Ｅが補助クッション部Ｃよりも大きく、両者間に間隙が生じる程度であることが望ましい。
【００４５】
上記実施の形態における背凭れ部Ｂの面に臀部及び胸椎Ｍ４を凭れ掛けた状態下で、背凭れ部Ｂの面と腰椎Ｍ３との間の間隙を、背凭れ部Ｂの開口部Ｅの上側を軸に回動自在とした補助クッション部Ｃの所定のクッション材の飛び出しによって、当該間隙をなくすようにしたものである。この背凭れ部Ｂの面に臀部の尾骨Ｍ１及び胸椎Ｍ４を凭れ掛けた状態下で形成される背凭れ部Ｂの面と腰椎Ｍ３との間の間隙とは、背骨の彎曲状態で自然に形成されるものであり、そこに身体の筋肉がリラックスすると、背骨に負担がかかりヘルニヤ等の要因を作るが、補助クッション部Ｃによって腰椎Ｍ３が受けられると背骨自体に与えられるストレスが減少し、人体の負担が軽減される。
【００４６】
上記実施の形態では、補助クッション部Ｃを補助クッションフレーム４１は及び緩衝材４８及び被覆材４５によって構成している。したがって、人は使用する前に、補助クッション部Ｃの回動角度を設定する必要がある。しかし、この補助クッション部Ｃを油圧シリンダまたはエアシリンダで制御し、人が座部Ａに着座し、背凭れ部Ｂの面に臀部及び胸椎Ｍ４を凭れ掛けた状態下で、背凭れ部Ｂの面と腰椎Ｍ３との間の間隙に補助クッション部Ｃを挿入するように回動させると、人が着座した状態で、その圧力の程度が決定できるので嗜好に合致した調整が可能となる。特に、背凭れ部Ｂの側部に油圧シリンダまたはエアシリンダの制御バルブの制御器を配置しておけば、人体の自然の着座状態で補助クッション部Ｃのセッティングが可能となる。
【産業上の利用可能性】
【００４７】
上記実施の形態で説明した座椅子の技術は、椅子全般に使用できることであり、座椅子に限定した使用が前提とするものではない。勿論、車両用のシートにも使用できるものである。
【符号の説明】
【００４８】
Ａ    座部
Ｂ    背凭れ部
Ｃ    補助クッション部
Ｄ    頭部受け部
Ｅ    開口部
Ｍ１  尾骨
Ｍ２  仙骨
Ｍ３  腰椎
Ｍ４  胸椎
Ｍ５  頸椎
１０  座フレーム
２０、４０、５０  ラチェット金具
３０  背フレーム
３２  水平フレーム
１８、３８、４８、５８  緩衝材
４１  補助クッションフレーム
５１  頭部受けフレーム     
【図１】
0005753670.tif 000002
【図２】
0005753670.tif 000003
【図３】
0005753670.tif 000004
【図４】
0005753670.tif 000005
【図５】
0005753670.tif 000006
【図６】
0005753670.tif 000007
【図７】
0005753670.tif 000008
【図８】
0005753670.tif 000009
【図９】
0005753670.tif 000010
【図１０】
0005753670.tif 000011
【図１１】
0005753670.tif 000012
【図１２】
0005753670.tif 000013
【図１３】
0005753670.tif 000014
【図１４】
0005753670.tif 000015